(57)【特許請求の範囲】
【請求項１】
ダクトと、このダクト内を流通する気体の風量を調節するダンパとを有してなる風量調節装置であって、
上記ダンパは、回動される際の軸芯となるとともに先端側は上記ダクトの外部に露出してなる第１の回動軸部が形成されてなる第１のダンパと、上記第１の回動軸部と同一の軸芯を有するとともに先端側は上記ダクトの外部に露出してなる第２の回動軸部が形成されてなる第２のダンパとを備え、
上記第１又は第２のダンパの回動によりダクト内の気体が流通可能とされた状態において、該第２又は第１のダンパの回動により風量が調節されるよう構成されてなるとともに、前記ダクトは円筒状に成形され、前記第１のダンパは円板状に成形されてなるとともに、前記第１の回動軸部には、第１の位置決め片が形成され、前記第２のダンパは半円形状に成形されてなる半円板部を有してなるとともに、前記第２の回動軸部には、第２の位置決め片が形成され、上記ダクトの外周面には、上記第１の回動軸部を中心に円弧状に並設されてなり上記第１の位置決め片が係合する第１の係合部と、上記第２の回動軸部を中心に円弧状に並設されてなり上記第２の位置決め片が係合する第２の係合部と、が形成されてなることを特徴とする風量調節装置。
【請求項２】
前記ダクトは、前記第１の回動軸部又は第２の回動軸部が挿通される一方のスリットが形成された第１のダクトと、この第１のダクトの外径よりも大径とされた内径を有するとともに上記第１の回動軸部又は第２の回動軸部が挿通される他方のスリットが形成された第２のダクトとが接続されてなり、
前記第１の係合部及び第２の係合部は、上記第１のダクト又は第２のダクトの何れかに形成されてなるとともに、
前記第１のダンパ及び第２のダンパは、該第１のダンパを構成する第１の回動軸部又は第２のダンパを構成する第２の回動軸部が上記一方のスリットと他方のスリットとの両方に挿通されてなるとともに上記第１のダクトと第２のダクトとにより挟持されてなることを特徴とする請求項１記載の風量調節装置。
【請求項３】
前記第２のダンパは、前記ダクト内に回動可能に嵌合されてなるリング状枠部と、このリング状枠部の略半分を閉塞する半円状閉塞部と、上記リング状枠部の上端から起立してなる第２の上部回動軸部と、上記リング状枠部の下端から垂下してなる第２の下部回動軸部と、上記第２の上部回動軸部の外周面から該第２の上部回動軸部の長さ方向と直交する方向に形成された前記第２の位置決め片と、を備え、
上記第２の上部回動軸部及び第２の下部回動軸部は前記第２の回動軸部であるとともに、該第２の上部回動軸部及び第２の下部回動軸部の少なくとも何れかは水平断面Ｃ字状に成形されてなり、
前記第１のダンパは、上記リング状枠部内に回動可能に嵌合され円板状に成形されてなる円板部と、この円板部の上端から起立してなるとともに中途部は上記第２の上部回動軸部内に挿通されてなる第１の上部回動軸部と、上記円板部の下端から垂下してなるとともに上記第２の下部回動軸部内に挿通されてなる第１の下部回動軸部と、を備え、上記第１の上部回動軸部及び第１の下部回動軸部は前記第１の回動軸部であることを特徴とする請求項２記載の風量調節装置。
【発明の詳細な説明】
【技術分野】
【０００１】
本発明は、気体が流通する管路の中途部に配置され、該管路内を流通する気体の風量（流量）を調節するために使用される風量調節装置に関するものである。
【背景技術】
【０００２】
住宅やオフィス又は工場等の各種の構造物或いは気体を供給又は排出する機械装置又はプラント等には、これまでダクトやパイプ等のような様々な管路が配設され、一方側（上流側）から他方側（下流側）に気体が送風されている。例えば、人が生活し又は業務を行う住宅やオフィス又は工場においては、換気設備が設置され、特定の管路を介して外気を内部に供給するとともに、他の管路を介して内部の空気を外部に排出している。特に、住宅においては、近年、建材に含まれるフォルムアルデヒド等の化学物質による人体への悪影響を防止・緩和するために、一定の要件を満たす住宅には、所定の換気設備の設置が義務付けられている。他方、住宅で消費されるエネルギーの無駄を省き、省エネルギー化に貢献するべきことは、住宅に住む消費者のみならず国からの要請でもある。しかしながら、上記換気設備の設置は、住宅内で暖められ又は冷やされた気体を外部に放出することを意味するものであり、省エネルギー化の要請とは相矛盾することとなる。そこで、従来では、こうした換気設備の設置により住宅内の気体を外部に放出するとともに、住宅内に供給する外気との間で熱交換することにより、熱エネルギーを有効に回収することを目的とした住宅用換気システムが提案されている。こうした換気システムは、計画換気とも称され、一定量の外気を強制的に住宅内に供給する管路と、住宅内の空気を一定量強制的に屋外に排出する管路とを有している。したがって、住宅やオフィス等においては、換気と省エネルギー化との両方を満たすため、管路を流通する気体（空気）の風量は適正に調節される必要がある。また、上記住宅等ばかりではなく、機械装置又はプラント等においても適正な風量となるように調節される必要がある。
【０００３】
ところで、こうした管路内を流通する気体の風量（流量）を調節するものとしては、従来種々の技術が提案されている。例えば、気体が流通するダクト内に、円板状のダンパを回動可能に配置し、該ダンパによりダクト内を閉塞し又は開放することにより風量を調節するもの（特許文献１参照）や、該ダンパ本体の形状を、ダクト内の形状である楕円形状の半分の形状とした２つの部材により構成し、これら２つの部材の回動操作により風量を調節するもの（特許文献２参照）、さらには、ダクト内に扇形の開口が複数形成された本体プレートの該開口を、回動可能に配置された調整プレートにより開閉するもの（特許文献３参照）等が提案されている。
【特許文献１】特開平６−１２９６７３号公報
【特許文献２】特開２００５−１８０７４７号公報
【特許文献３】特開２００３−２６２３７２号公報
【発明の開示】
【発明が解決しようとする課題】
【０００４】
しかしながら、上述した各装置では、以下に説明する課題があり採用することができない。すなわち、上記特許文献１及び２に開示された技術では、微妙な風量設定を行うことができず、特に、上記円形状のダンパ本体が全開とされた状態から４０度回転した状態までの範囲では、該ダンパを多少回動操作しても風量への影響は少ない。また、上記特許文献３に開示された技術では、調整プレートの回動操作により微妙な風量調節は可能である一方、本体プレートに形成された開口の面積は、該本体プレート全体の面積に対して半分程度とならざるを得ず、該開口を全開とした場合であっても、管路内を流通させる風量が大きく制限されてしまう。さらに、この特許文献３に開示された技術では、上記調整プレートの回動軸は、ダクト内を流通する気体の流通方向に長さを有することから、該本体プレートや調整プレートの配置位置は、気体が流入し又は排出されるダクトの端部に限定され、中途部に配置することはできない。
【０００５】
そこで、本発明は、上述した従来の風量調節装置が有する各種の課題を解決するために提案したものであって、より微妙な風量調節が可能となるばかりか、配置位置も限定されることのない新規な風量調節装置を提供することを目的とするものである。
【課題を解決するための手段】
【０００６】
上述した目的を達成するため、第１の発明（請求項１記載の発明）は、ダクトと、このダクト内を流通する気体の風量を調節するダンパとを有してなる風量調節装置であって、上記ダンパは、回動される際の軸芯となるとともに先端側は上記ダクトの外部に露出してなる第１の回動軸部が形成されてなる第１のダンパと、上記第１の回動軸部と同一の軸芯を有するとともに先端側は上記ダクトの外部に露出してなる第２の回動軸部が形成されてなる第２のダンパとを備え、上記第１又は第２のダンパの回動によりダクト内の気体が流通可能とされた状態において、該第２又は第１のダンパの回動により風量が調節されるよう構成されてなるとともに、前記ダクトは円筒状に成形され、前記第１のダンパは円板状に成形されてなるとともに、前記第１の回動軸部には、第１の位置決め片が形成され、前記第２のダンパは半円形状に成形されてなる半円板部を有してなるとともに、前記第２の回動軸部には、第２の位置決め片が形成され、上記ダクトの外周面には、上記第１の回動軸部を中心に円弧状に並設されてなり上記第１の位置決め片が係合する第１の係合部と、上記第２の回動軸部を中心に円弧状に並設されてなり上記第２の位置決め片が係合する第２の係合部と、が形成されてなることを特徴とするものである。
【０００８】
また、この発明は、前記ダクトは円筒状に成形され、前記第１のダンパは円板状に成形されてなるとともに、前記第１の回動軸部には、第１の位置決め片が形成され、前記第２のダンパは半円形状に成形されてなる半円板部を有してなるとともに、前記第２の回動軸部には、第２の位置決め片が形成され、上記ダクトの外周面には、上記第１の回動軸部を中心に円弧状に並設されてなり上記第１の位置決め片が係合する第１の係合部と、上記第２の回動軸部を中心に円弧状に並設されてなり上記第２の位置決め片が係合する第２の係合部と、が形成されている。
【０００９】
そしてこの発明では、上記第１のダンパが回動調節された場合、第１の位置決め片と第１の係合部との係合により、該第１のダンパの位置決めがされ、また、第２のダンパが回動調節された場合、第２の位置決め片と第２の係合部との係合により、該第２のダンパの位置決めがされる。回動されたこれら第１又は第２のダンパは、第１又は第２の位置決め片と任意の位置の（第１又は第２の）係合部との係合により固定され気体の流通により変化しない。なお、風量調節作業の迅速化を図るために、上記第１又は第２の回動軸部を中心に円弧状に並設された第１又は第２の係合部の近傍に、例えば、「１，２，３・・・」等の数字，「ａ，ｂ，ｃ・・・」又は「イ，ロ，ハ・・・」等の符号を表示した表示用シールを貼付するか又は刻印しても良い。
【００１０】
また、第２の発明（請求項２記載の発明）は、上記第１の発明において、前記ダクトは、前記第１の回動軸部又は第２の回動軸部が挿通される一方のスリットが形成された第１のダクトと、この第１のダクトの外径よりも大径とされた内径を有するとともに上記第１の回動軸部又は第２の回動軸部が挿通される他方のスリットが形成された第２のダクトとが接続されてなり、前記第１の係合部及び第２の係合部は、上記第１のダクト又は第２のダクトの何れかに形成されてなるとともに、前記第１のダンパ及び第２のダンパは、該第１のダンパを構成する第１の回動軸部又は第２のダンパを構成する第２の回動軸部が上記一方のスリットと他方のスリットとの両方に挿通されてなるとともに上記第１のダクトと第２のダクトとにより挟持されてなることを特徴とするものである。
【００１１】
なお、上記一方及び他方のスリットは、上記第１の回動軸部又は第２の回動軸部が挿通される部位であり、上述したように、第１のダンパを構成する第１の回動軸部を棒状に成形する一方、第２の回動軸部を筒状に形成し、該第２の回動軸部に上記回動軸部を挿通したものである場合には、上記第２の回動軸部の外径に対応している必要があり、逆に、上記第１のダンパを構成する第１の回動軸部を筒状に成形する一方、上記第２の回動軸部を棒状に成形し、この第２の回動軸部内に上記第１の回動軸部を挿通したものである場合には、上記第１の回動軸部の外径に対応したものであることを要する。
【００１２】
また、第３の発明（請求項３記載の発明）は、上記第２の発明において、前記第２のダンパは、前記ダクト内に回動可能に嵌合されてなるリング状枠部と、このリング状枠部の略半分を閉塞する半円状閉塞部と、上記リング状枠部の上端から起立してなる第２の上部回動軸部と、上記リング状枠部の下端から垂下してなる第２の下部回動軸部と、上記第２の上部回動軸部の外周面から該第２の上部回動軸部の長さ方向と直交する方向に形成された前記第２の位置決め片と、を備え、上記第２の上部回動軸部及び第２の下部回動軸部は前記第２の回動軸部であるとともに、該第２の上部回動軸部及び第２の下部回動軸部の少なくとも何れかは水平断面Ｃ字状に成形されてなり、前記第１のダンパは、上記リング状枠部内に回動可能に嵌合され円板状に成形されてなる円板部と、この円板部の上端から起立してなるとともに中途部は上記第２の上部回動軸部内に挿通されてなる第１の上部回動軸部と、上記円板部の下端から垂下してなるとともに上記第２の下部回動軸部内に挿通されてなる第１の下部回動軸部と、を備え、上記第１の上部回動軸部及び第１の下部回動軸部は前記第１の回動軸部であることを特徴とするものである。
【００１３】
この第３の発明では、第２のダンパを構成する第２の回動軸部は、第２の上部回動軸部と第２の下部回動軸部とからなり、また、第１のダンパを構成する第１の回動軸部は、第１の上部回動軸部と第１の下部回動軸部とからなることから、該第１及び第２のダンパは、安定した状態で回動される。なお、上記第２の上部回動軸部及び第２の下部回動軸部の少なくとも何れかは水平断面Ｃ字状に成形されてなることから、上記第１のダンパを構成する第１の上部回動軸部又は第１の下部回動軸部を、該第２の上部回動軸部及び第２の下部回動軸部の開口部分から圧入して嵌入することにより、第１のダンパと第２のダンパとが一体化される。
【発明の効果】
【００１４】
第１の発明（請求項１記載の発明）に係る風量調節装置は、第１のダンパと第２のダンパとを備え、該第１又は第２のダンパの回動によりダクト内の気体が流通可能とされた状態において、該第２又は第１のダンパの回動により風量が調節されるよう構成されてなることから、従来の風量調節装置に比べ、より適切な風量調節が可能となる。すなわち、上記第１又は第２のダンパの何れかを全開とした状態から４０度程度回転した状態までの範囲であっても、第２のダンパ又は第１のダンパを回動させることにより、微妙な風量調節をすることが可能となる。また、この第１の発明では、第１の回動軸部も第２の回動軸部もダクトの径方向に長さを有することから、従来の風量調節装置のように、配置位置が限定されることはなく、管路の端部は勿論中途部においても配置することができる。しかも、この第１の発明では、第１の回動軸部と第２の回動軸部とは同一の軸芯とされていることから、装置の小型化を図ることができる。
【００１５】
さらにこの第１の発明では、ダクトは円筒状に成形され、第１のダンパは円板状に成形され、第２のダンパは半円形状に成形されてなることから、最も圧力損失を低減することができる。また、この発明では、第１の位置決め片が形成されてなる一方、ダクトの外周面には、第１の回動軸部を中心に円弧状に並設されてなり上記第１の位置決め片が係合する第１の係合部が形成されてなることから、第１のダンパの位置が気体の影響により変化してしまう危険性を有効に防止することができる。また、第２のダンパには、第２の位置決め片が形成されてなる一方、ダクトの外周面には、上記第２の位置決め片が係合する第２の係合部が形成されてなることから、同じように、第２のダンパの位置が気体の影響により変化してしまう危険性を有効に防止することができる。
【００１６】
また、第２の発明（請求項２記載の発明）では、ダクトは、第１のダクトと第２のダクトとが接続され、第１のダンパ及び第２のダンパは、該第１のダンパを構成する第１の回動軸部又は第２のダンパを構成する第２の回動軸部が上記一方のスリットと他方のスリットとの両方に挿通されてなるとともに上記第１のダクトと第２のダクトとにより挟持されてなることから、ダクトの製造も簡単となり容易に組み立てることが可能となるとともに、メンテナンス作業も簡単なものとなる。
【００１７】
また、第３の発明（請求項３記載の発明）では、第２のダンパを構成する第２の回動軸部は、第２の上部回動軸部と第２の下部回動軸部とからなり、また、第１のダンパを構成する第１の回動軸部は、第１の上部回動軸部と第１の下部回動軸部とからなることから、該第１及び第２のダンパは、安定した状態で回動することができる。
【発明を実施するための最良の形態】
【００１８】
以下、本発明を実施するための最良の形態に係る風量調節装置を、図面を参照しながら詳細且つ具体的に説明する。なお、この実施の形態に係る風量調節装置は、住宅用換気システムを構成する住宅用換気装置に接続された各分岐排出管群のそれぞれに配置されるものである。そこで、以下、この住宅用換気システムや住宅用換気装置について説明しながら、本発明に係る風量調節装置について説明する。
【００１９】
この住宅用換気システムは、図１に示すように、二階建ての住宅１の二階に住宅用換気装置２が配置されている。この住宅用換気装置２は、二階に設けられたクローゼット３に図示しない吊り下げ具により二階の天井４から吊り下げられてなるものであり、このクローゼット３は、部屋と部屋とを区画する第１の壁面５と、外壁６（図３参照）と、上記第１の壁面５と対向する第２の壁面７と、上記第１の壁面５と直行するとともに開閉自在となされた開閉扉８とから構成された空間であり、該住宅用換気装置２の正面は、この開閉扉８と対向している。そして、この住宅用換気装置２は、図２の（Ａ）〜（Ｄ）に示すように、略直方体状に成形され正面に開口（符号は省略する。）を有してなる筐体１０と、この筐体１０に取り外し可能に装着され上記開口の上部側を閉塞する第１の前面カバー１１と、この第１の前面カバー１１の下側に取外し可能に装着され上記開口を閉塞する第２の前面カバー１２とを備えている。そして、上記第１の前面カバー１１の正面には、この住宅用換気装置２のオンオフ操作や換気量等を電気的に制御・調節するリモートコントローラ１３が配置されている。また、上記第２の前面カバー１２の下側中途部には、横長の開口（符号は省略する。）が形成され、この開口はメンテナンスカバー１４が開閉自在に配置されている。また、上記筐体１０内であって上記第２の前面カバー１２の背面側には、上下に第１及び第２の熱交換用エレメント（熱交換素子）１５，１６が配置されている。これら第１及び第２の熱交換用エレメント１５，１６は、後述するように、住宅１の外側から流入した外気と、住宅１内から外に排出する空気との間で熱交換する素子である。そして、上記第２の熱交換用エレメント１６の下側には、エアフィルタ１７が配置されている。このエアフィルタ１７は、住宅１の外側から流入した外気を上記第２の熱交換用エレメント１６の下側に到る手前において除塵するものであり、上記住宅用換気装置２の正面に設けられたメンテナンスカバー１４を開放することにより着脱可能とされている。
【００２０】
また、上記住宅用換気装置２の筐体１０を構成する天板１９には、図示しない第１ないし第４の開口が形成され、これら第１ないし第４の開口には、図２の（Ｄ）に示すように、第１ないし第４の管体２０・・・２３が固定されている。そして、上記第１の管体２０は、住宅１外の空気（外気）がこの住宅用換気装置２内に流入する外気流入口（OＡ）であり、この第１の管体２０の手前に固定されている第２の管体２１は、住宅１内の空気をこの住宅用換気装置２内に流入させる室内空気流入口（ＲＡ）である。また、この第２の管体２１の右側に配置されている第３の管体２２は、上記第１の管体２０から住宅用換気装置２内に流入した空気を室内に供給する室内空気供給口（ＳＡ）である。また、この第３の管体２２の後方に配置されている第４の管体２３は、上記第２の管体２１から住宅用換気装置２内に流入した空気を室外に流出させる室内空気流出口（ＥＡ）である。そして、上記第３の管体２２の下側であって上記筐体１０内には、図２の（Ｃ）に示すように、給気用送風機２５が配置され、上記第４の管体２３の下方には、排気用送風機２６が固定されている。また、上記筐体１０内には、上記第１の管体（外気流入口：OＡ）２０から上記エアフィルタ１７の下側に亘って図示しない第１の外気流路が形成され、またエアフィルタ１７から第２の熱交換用エレメント１６の下面までにおいても図示しない第２の外気流路が形成されている。また、上記第２の熱交換用エレメント１６内には垂直方向に図示しない第１の熱交換流路が形成され、第１の熱交換エレメント１５内にも垂直方向に図示しない第２の熱交換流路が形成されている。上記第１の熱交換流路と第２の熱交換流路とは互いに接続され、この第２の熱交換流路は、上記第３の管体（室内空気供給口：ＳＡ）に接続されている。一方、上記第２の管体（室内空気流入口：ＲＡ）２１から上記第１の熱交換用エレメント１５の一側面までには、図示しない第１の室内空気流路が形成され、この第１の室内空気流路は該第１の熱交換用エレメント１５内に水平方向に形成された図示しない第３の熱交換流路に接続されている。また、上記第１の熱交換エレメント１５の他側面と第２の熱交換用エレメント１６の他側面とは、図示しない第２の室内空気流路により接続され、この第２の熱交換エレメント内には水平方向に第４の熱交換流路が形成されている。そして、この第４の熱交換流路は、上記第４の管体（室内空気流出口：ＥＡ）２３に接続されている。
【００２１】
そして、上記第１の管体（外気流入口：OＡ）２０には、図３に示すように、外気流入管２７の一端が接続され、この外気流入管２７の他端は、上記外壁６に形成された管取付穴（符号は省略する。）に挿通され屋外に臨まされている。また、上記第２の管体（室内空気流入口：ＲＡ）２１には、この住宅１内に設けられた図示しないホールの天井に接続された室内空気吸込管２８の一端が接続されている。この室内空気吸込管２８の他端は、上記ホールの天井に固定され、後述するように上記排気用送風機２６が駆動すると、ホール内の空気はこの室内空気吸込管２８の他端から吸い込まれ、上記住宅用換気装置２内に流入する。また、上記第３の管体（室内空気供給口：ＳＡ）には、後述する分岐チャンバ３２が接続され、この分岐チャンバ３２には、間に後述する風量調節装置４５を介して、各室内に空気を分割して供給するが接続されている。また、第４の管体（室内空気流出口：ＥＡ）２３には、室内空気排気管３３の一端が接続されている。この室内空気排気管３３の他端は、外壁６に形成された管取付穴（符号は省略する。）に挿通され屋外に臨まされている。なお、上記外気流入管２７の他端と上記室内空気排気管３３の他端とは、上下に固定されてなるとともに外壁６の外側面に固定された屋外フード３４により覆われている。
【００２２】
すなわち、この住宅用換気装置２は、図４に模式的に示すように、上記給気用送風機２５と排気用送風機２６とが駆動すると、外気が上記外気流入管２７の他端側から上記第１の管体（外気流入口：OＡ）２０を介して該住宅用換気装置２内に流入し、図２に示すエアフィルタ１７の下側から第２及び第１の熱交換エレメント１６，１５内に形成された図示しない第１及び第２の熱交換流路を通過し、第３の管体（室内空気供給口：ＳＡ）２２を介して後述する分岐チャンバ内に到り、この分岐チャンバ３２から上記後述する風量調節装置４５を通過して分岐排出管２９，３０，３１・・・の他端側から各室内に給気される。一方、上記室内空気吸込管２８からは図示しないホール内の空気が流入し、上記第２の管体（室内空気流入口：ＲＡ）２１を介して住宅用換気装置２内に流入し、上記第１の熱交換エレメント１５に形成された第３の熱交換流路及び第２の熱交換エレメント１６に形成された第４の熱交換流路を通過し、上記第４の管体（室内空気流出口：ＥＡ）２３を介して上記室内空気排気管３３の他端側から屋外に排出される。
【００２３】
次に、上記分岐チャンバ３２について説明する。この分岐チャンバ３２は、図５に示すように、上記第３の管体（室内空気供給口：ＳＡ）２２の外径とほぼ同じ内径となされた筒部３２ａと、この筒部３２ａの上端から容積が拡張され上端は方形状の天板３２ｂ（図６参照）により閉塞された拡張部３２ｃとを備えている。そして、上記天板３２ｂには、図示しない第１ないし第９の開口が形成され、該第１ないし第９の開口には第１ないし第９の円筒部材３５・・・４３の基端が固定されている。そして、上記第１ないし第９の円筒部材３５・・・４３の先端には、それぞれ本発明を構成する風量調節装置４５が取り付けられ、これらの風量調節装置４５の上端には、図４に示す分岐排出管２９，３０，３１・・・の一端が接続されている。なお、上記分岐排出管２９，３０，３１・・・は、本発明を構成する分岐排出管群である。そこで、以下、本発明の実施の形態に係る上記風量調節装置４５について詳細に説明する。
【００２４】
この風量調節装置４５は、図７，図８又は図１１に示すように、第１のダクト４６と、この第１のダクト４６に接続される第２のダクト４７と、これら第１及び第２のダクト４６，４７内を流通する空気の風量を変更調節する第１のダンパ４８及び第２のダンパ４９とから構成されている。上記第１のダクト４６は、樹脂により略一体成形されてなるものであり、一端は図６に示す上記第１ないし第９の円筒部材３５・・・４３に接続される部位である。また、この第１のダクト４６の他端には、該第１のダクト４６の中心を間に介して第１のスリット４６ａと第２のスリット４６ｂとが形成されている。なお、これら第１及び第２のスリット４６ａ，４６ｂは、本発明を構成する一方のスリットであり、それぞれの長さ及び幅は互いに同一とされている。また、上記第１のスリット４６ａの形成位置よりやや一端側には、この第１のダクト４６内と連通してなる一方の分岐管部４６ｃが起立されている。また、この一方の分岐管部４６ｃの形成位置より該第１のダクト４６のやや他端側には、第２のダクト４７の一端が当接する第１の拡径部４６ｄがリング状に形成されている。また、上記一方の分岐管部４６ｃの形成位置の近傍からこの第１のダクト４６の一端側には、第２ないし第４の拡径部４６ｅ・・・４６ｇがリング状に形成されている。また、この第１のダクト４６の外周面であって、上記第１の拡径部４６ｄの形成位置よりも該第１のダクト４６の他端側には、係止爪４６ｈが形成されている。
【００２５】
また、上記第２のダクト４７は、上記第１のダクト４６と同じ素材により一体形成されてなるものであって、一端側は、上記第１のダクト４６の他端側が内部に挿通される部位であり、該一端には、該第２のダクト４７の中心を間に介して第３のスリット４７ａと第４のスリット４７ｂとが形成されている。これら第３及び第４のスリット４７ａ，４７ｂはそれぞれ本発明を構成する一方のスリットであり、それぞれの幅は、上記第１及び第２のスリット４６ａ，４６ｂと同一とされ、該第３及び第４のスリット４７ａ，４７ｂの長さは、上記第１及び第２のスリット４６ａ，４６ｂよりも長尺とされている。また、この第２のダクト４７には、上記第３のスリット４７ａと第４のスリット４７ｂとの間に、互いに同一の長さ及び幅となされた第５及び第６のスリット４７ｃ，４７ｄが形成され、これら第５のスリット４７ｃと第６のスリット４７ｄとの間は弾性片４７ｅとされている。そして、この弾性片４７ｅには（上記第５のスリット４７ｃと第６のスリット４７ｄとの間には）、上記第１のダクト４６に形成された係止爪４６ｈが係止される係止穴４７ｆが形成されている。また、この第２のダクト４７の他端側中途部の外周面には、第５の拡径部４７ｇが形成されており、この第５の拡径部４７ｇと上記第３のスリット４７ａとの間には、他方の分岐管部４７ｈと、上部側係合部４７ｉが複数形成され、さらに、この第２のダクト４７の内周面であって上記第５の拡径部４７ｇの形成位置に対応した位置には、縮径部４７ｊが形成されている。上記他方の分岐管部４７ｈは、上記一方のダクト４６に形成された一方の分岐管部４６ｃと同一形状に成形されてなるとともに、図８に示すように、上記第１及び第２のダクト４６，４７とにより後述する第１及び第２のダンパ４８，４９を組み付けた際における（後述する）該第１及び第２のダンパ４８，４９の（第１及び第２の）回動軸との距離が、互いに同一とされている。すなわち、上記第１及び第２のダンパ４８，４９の（第１及び第２の）回動軸から上記一方の分岐管部４６ｃまでの距離と、該回動軸から上記他方の分岐管部４７ｈまでの距離とは、互いに同じ距離とされている。また、上記上部側係合部４７ｉは、それぞれ第２のダクト４７の外周面から起立してなるとともに、上記第４のスリット４７ｂの端部を中心にそれぞれ放射方向に長さを有する複数の上部側係合部（符号は省略する。）からなるとともに、各上部側係合部は該第４のスリット４７ｂの端部を中心とした円弧を描くように数度ずつずれた状態で並列されている。なお、これら上部側係合部４７ｉは、本発明を構成する第１の係合部である。また、これら上部側係合部４７ｉは、後述する第１のダンパ４８を構成する第１の位置決め片４８ｃが選択的に係合する部位であり、上記複数の上部側係合部の中で該第１のダンパ４８が最も開放された位置（第１及び第２のダクト４６，４７内で最も空気が流通する状態）に対応する上部側ストッパー片４７ｋは、第２のダクト４７の外周面からの高さが他の上部側係合部よりも高いものとされ、上記第１の位置決め片４８ｃがこの上部側ストッパー片４７ｋの形成位置よりも更に回動できないようにされている。また、この他方のダクト４７の外周面であって該他方のダクト４７の一端近傍には、後述する第２のダンパ４９を構成する第２の位置決め片４９ｄが係合する複数の下部側係合部４７ｌ，４７ｍ，４７ｎが形成され、この下部側係合部４７ｎの図１２中右側には、上記下部側係合部４７ｌ，４７ｍ，４７ｎよりも第２のダクト４７の外周面からの高さが高い下部側ストッパー片４７ｏ（図１２参照）が形成されている。
【００２６】
また、上記第１のダンパ４８は、樹脂により一体成形されてなるものであって、図９に示すように、円板状に成形された第１のダンパ本体部４８ａと、この第１のダンパ本体部４８ａの上端から起立してなる第１の上部回動軸部４８ｂと、この第１の上部回動軸部４８ｂの上端から該第１の上部回動軸部４８ｂの長さ方向と直行する方向に延設されてなる第１の位置決め片４８ｃと、上記第１のダンパ本体部４８ａの下端であって上記第１の上部回動軸部４８ｂの延長線上に位置する第１の下部回動軸部４８ｄとから構成されている。なお、上記第１の上部回動軸部４８ｂは、本発明を構成する第１の回動軸である。一方、上記第２のダンパ４９は、上記第１のダンパ４８と同一の樹脂により一体成形されてなるものであって、図１０に示すように、リング状に成形された枠部（本発明を構成するリング状枠部）４９ａと、この枠部４９ａの約半分を閉塞し略半円状に成形された第２のダンパ本体部４９ｂと、上記枠部４９ａの上端から起立してなる第２の上部回動軸部４９ｃと、この第２の上部回動軸部４９ｃの側部から該第２の上部回動軸部４９ｃの長さ方向と直行する方向に延設された第２の位置決め片４９ｄと、上記枠部４９ａの下端であって上記第２の上部回動軸部４９ｃの延長線上に位置する第２の下部回動軸部４９ｅとから構成されている。そして、上記枠部４９ａは、上記第１のダンパ本体部４８ａの厚さとほぼ同じ長さを有する筒状に成形されている。また、上記第２の上部回動軸部４９ｃは、本発明を構成する第２の回動軸であり、本実施の形態においては、内部に上記第１の上部回動軸部４８ｂが回動自在に挿通されるよう筒状に成形されているとともに、該第１の上部回動軸部４８ｂを側方から圧入された際に通過する圧入用開口４９ｆが形成されている。すなわち、この実施の形態に係る風量調節装置４５においては、第２の上部回動軸部４９ｃが水平断面Ｃ字状に成形されている。また、上記第２の下部回動軸部４９ｅは、円筒状に成形され、上記第１の下部回動軸部４８ｄを上方から挿入できるように構成されている。
【００２７】
このように構成された上記第１のダンパ４８及び第２のダンパ４９は、図７に示すように、一体的になるよう組み付けられている。すなわち、上記第１のダンパ４８は、上記第２のダンパ４９とは別個に（図１２に示すように時計回り方向に）回動可能とされてなるとともに、後述するように、この第１のダンパ４８が回動され上記第１及び第２のダクト４６，４７内に形成された空気の流路が解放された際、上記第２のダンパ４９は第１のダンパ４８とは別個に回動可能となる。そして、上記第１のダンパ４８と第２のダンパ４９とは、上述したように、第１の上部回動軸部４８ｂが第２の上部回動軸部４９ｃ内に挿通され、第１の下部回動軸部４８ｄが第２の下部回動軸部４９ｅ内に挿入された状態で一体化されてなることから、第１及び第２の上部回動軸部４８ｂ，４９ｃは同一の軸心となっており、上記第１及び第２の下部回動軸４８ｄ，４９ｅも同一の軸心となっている。
【００２８】
そして、上述したように構成された第１及び第２のダンパ４８，４９は、上記第１のダクト４６及び第２のダクト４７に対して、図８及び図１１に示すように、組み付けられている。すなわち、図７に示す第２の上部回動軸部４９ｃが、上記第１のスリット４６ａ内と上記第３のスリット４７ａ内に挿通されてなるとともに、該第１及び第３のスリット４６ａ，４７ａの閉塞側端部にて挟まれ、同時に上記第２の下部回動軸部４９ｅが、上記第２のスリット４６ｂ内と上記第４のスリット４７ｂ内に挿通されてなるとともに該第２及び第４のスリット４６ｂ，４７ｂの閉塞側端部にて挟まれた状態で組み付けられている。そして、上記第１の上部回動軸４８ｂ及び第２の上部回動軸４９ｃは、何れも上記一方及び他方のダクト４６，４７の外部に露出されている。また、上記弾性片４７ｅに形成された係止穴４７ｆ内に上記係止爪４６ｈが係止され、第２のダクト４７から第１のダクト４６が脱落しないようにされている。
【００２９】
そして、このように組み付けられた風量調節装置４５においては、上記第１の位置決め片４８ｃの回動操作により、上記第１のダンパ本体部４８ａの向きを約９０度の範囲に亘って回動操作することができ、また、第２のダンパ本体４９ａも約９０度に亘って回動調節することができる。すなわち、図１２の（Ａ）に示すように、上記第１の位置決め片４８ｃが最も同図中左側の上部側係合部４７ｉとその右側の上部側係合部４７ｉとの間に係合されており、第２の位置決め片４９ｄが同図中最も左側の下部側係合部４７ｌとその右側に形成されたに下部側係合部４７ｍとの間に係合されている状態においては、第１のダンパ本体部４８ａは、第２のダンパ４９を構成する枠部４９ａ内に位置してなるとともに、上記流路は完全に閉塞された状態となる。また、この図１２の（Ａ）に示す状態から、上記第１の位置決め片４８ｃのみを時計回り方向に４５度回動操作すると、第１のダンパ本体部４８ａが回動し、図１１及び図１２の（Ｂ）にそれぞれ示す状態となり、空気の流通が可能な状態となる。そして、この図１２の（Ｂ）に示す状態（第１の位置決め片４８ｃにより上記流路が解放された状態）において、例えば、上記第２の位置決め片４９ｄを略９０度反時計回り方向に回動操作し、図１２中最も右側に形成された下部側係合部４７ｏとその左側に形成された下部側係合部４７ｎとの間に位置させると、図１２の（Ｃ）に示すように、第２のダンパ本体部４９ｂは、上記流路内の空気の流れる方向と同じ方向に位置し、さらに風量が増加する。
【００３０】
なお、この実施の形態においては、上述した通り、風量調節装置４５を構成する第２のダンパ４９は、図１２中反時計回り方向に回動操作する方式を採用しているが、図１３に示すように、この第２のダンパ４９も上記第１のダンパ４８のように、時計回り方向に回動操作する方式を採用するとともに、上記第２の位置決め片４９ｄの位置を９０度反時計回り方向に位置変更し、さらに下部側係合部の数を増加させたもの（下部側係合部４７ｌ・・・４７ｒと、部側ストッパー片４７ｓ）であっても良い。こうした変形例に係る風量調節装置４５によれば、図１３の（Ａ）に示すように、第１のダンパ本体部４８ａと第２のダンパ本体部４９ｄとにより完全に空気の流路が閉塞された状態から、図１３の（Ｂ）に示すように、第１の位置決め片４８ｃを例えば９０度時計回り方向に回動させることにより上記流路が解放される。この状態において、上記第２の位置決め片４９ｄを時計回り方向に回動操作すると、さらに流路内で流通する空気量が増加し、また、図１３の（Ａ）に示す状態から、上記第１及び第２の位置決め片４８ｃ，４９ｄをそれぞれ時計回り方向９０度回動操作すると、図１３の（Ｃ）に示すように、流路内を流通する空気量が最大となる。
【００３１】
そして、このように構成された上気風量調節装置４５は、図１４に示すように、上記第１のダクト４６の一端（下端）が上記第１ないし第９の円筒部材３５・・・４３の上端に接続され、各風量調節装置４５を構成する第２のダクト４７の他端（上端）は、図３に示す分岐排出管群２９，３０，３１・・・・・・に接続されており、さらに、各風量調節装置４５は、後述する各接続チューブと接続アダプタ５０を介して微差圧計５１に接続されている。上記接続アダプタ５０は、樹脂により長尺な直方体状に一体成形されてなるものであり、図１４及び図１５に示すように、上面には、一方の上流側接続管部５０ａと一方の下流側接続管部５０ｂとが、該接続アダプタ５０の長さ方向に交互且つ直線状並んで形成されている。すなわち、上記一方の上流側接続管部５０ａと一方の下流側接続管部５０ｂとは、それぞれ９個設けられている。なお、一方の上流側接続管部５０ａと一方の下流側接続管部５０ｂとはそれぞれ同一の形状とされている。そして、上記一方の上流側接続管部５０ａは、一端が上記風量調節装置４５を構成する一方の分岐管部４６ｃに一端が接続された一方の上流側接続チューブ５４の他端が接続されてなる部位である。また、上記一方の下流側接続管部５０ｂは、一端が上記風量調節装置４５を構成する他方の分岐管部４７ｈに一端が接続された一方の下流側接続チューブ５５の他端が接続されてなる部位である。すなわち、上記第１ないし第９の円筒部材３５・・・４３と、分岐排出管群２９，３０，３１・・・・・・との間に接続された全部で９個の風量調節装置４５と上記接続アダプタ５０とは、それぞれ上記一方の上流側接続チューブ５４と一方の下流側接続チューブ５５を介して接続されている。また、この接続アダプタ５０の正面には、他方の上流側接続穴部５０ｃと他方の下流側接続穴部５０ｄとが、該接続アダプタ５０の長さ方向に交互に形成されている。上記他方の上流側接続穴部５０ｃと他方の下流側接続穴部５０ｄとは、それぞれ９個設けられてなるとともに、他方の上流側接続穴部５０ｃと他方の下流側接続穴部５０ｄとは同一の形状とされている。そして、上記各他方の上流側接続穴部５０ｃと上記各一方の上流側接続管部５０ａとは該接続アダプタ５０の内部において互いに連通している。また、上記各他方の下流側接続穴部５０ｄと上記各一方の下流側接続管部５０ｂとは該接続アダプタ５０の内部において互いに連通している。
【００３２】
また、上記微差圧計５１は、上記各風量調節装置４５を構成する上記第１及び第２のダンパ４８，４９の下側の圧力と該第１及び第２のダンパ４８，４９の上側の圧力との双方の計測値を測定することができる機能を有してなるものであり、この実施の形態に係る微差圧計５１では、上記各測定値から、風量調節装置４５内の風量を換算する機能を備えてなるものである。すなわち、この微差圧計５１の正面には、上記二つの測定値と風量とが表示される表示部５１ａ及び図示しない操作部が設けられ、上部の左側には、左接続部５１ｂが形成され右側には右接続部５１ｃが設けられている。上記左接続部５１ｂは、一方の接続チューブ５２の一端が接続されている部位であり、上記右接続部５１ｃは、他方の接続チューブ５３の一端が接続されている部位である。そして、この実施の形態では、上記一方の接続チューブ５２の他端と他方の接続チューブ５３の他端とには、コネクタ５７が接続され、このコネクタ５７を介して上記接続アダプタ５０に接続されている。このコネクタ５７は、一方のパイプ部５４ａと、この一方のパイプ部５４ａと平行に固定された他方のパイプ部５４ｂと、これら一方及び他方のパイプ部５４ａ，５４ｂを固定してなる固定部材５４ｃとから構成されている。そして、上記一方の接続チューブ５２の他端は、上記一方のパイプ部５４ａの一端に接続され、上記他方の接続チューブ５３の他端は上記他方のパイプ部５４ｃの一端に接続されている。そして、上記一方のパイプ部５４ａの他端は、上記接続アダプタ５０の正面に複数形成された他方の上流側接続穴部５０ｃの何れかに圧入される部位であり、上記他方のパイプ部５４ｂの他端は、上記一方のパイプ部５４ａが圧入された他方の上流側接続穴部５０ｃの隣に形成された他方の下流側接続穴部５０ｄに圧入される部位である。
【００３３】
したがって、上記微差圧計５１により、例えば上記第１の円筒部材３６の上端に接続された風量調節装置４５内の風量を測定する場合には、作業者は上記コネクタ５７を手指で把持しながら、該コネクタ５７を構成する一方のパイプ部５４ａの他端を上記接続アダプタ５０の正面に形成された他方の上流側接続穴部５０ｃ内に圧入するとともに、他方のパイプ部５４ｂの他端を他方の下流側接続穴部５０ｄ内に圧入する。こうした接続操作により、上記風量調節装置４５内の風量が測定される。このとき、この風量調節装置４５内の風量が所定値に満たない場合又は所定値を上回る場合には、上記微差圧計５１の表示部５１ａに表示された測定値（風量値）を目視しながら、クローゼット３内に露出している上記第１の位置決め片４８ｃ及び／又は第２の位置決め片４９ｄをそれぞれ時計回り方向又は反時計回り方向に回動操作し、上記第１のダンパ本体部４８ａ又は第２のダンパ本体４９ｂを回動させ、内部の流路を流通する空気を適宜調節することにより、上記測定値が所定値（必要換気量）となるように調節する。そして、こうした特定の風量調節装置４５の調節作業が終了すると、次いで、他の風量調節装置４５の調節作業を行う。この場合には、それまで接続されていた上記コネクタ５７を、該他の風量調節装置４５に対応した他方の上流側接続穴５０ｃ及び他方の下流側接続穴５０ｄに接続し、上記要領にて該他の風量調節装置４５の風量調節作業を行う。そして、こうした各風量調節装置４５の風量調節作業により、各部屋の必要換気量と実際の換気量とが同じものとなる。
【００３４】
すなわち、上述した実施の形態に係る風量調節装置４５は、住宅用換気装置２内に導入した外気を各室内に分割して供給する分岐排出管２９，３０，３１・・・のそれぞれに配置されるものであり、各部屋に配置されるものではないことから、該風量調節装置４５による風量調節作業は、一箇所において操作することができる。したがって、こうした風量調節装置４５によれば、極めて簡単且つ迅速に各部屋の風量を調節することができる。また、この風量調節装置４５では、一方の上流側接続チューブ５４の一端を接続する一方の分岐管部４６ｃが形成されているとともに、一方の下流側接続チューブ５５の一端を接続する他方の分岐管部４７ｈが形成されており、上述した接続アダプタ５０と、一方及び他方の接続チューブ５２，５３を介して、Ｋファクタ法による風量を換算するために必要とされる圧力差を計測する微差圧計５１と接続できる構造を備えていることから、より正確に風力を測定することができ、この結果、各部屋に供給されるべき空気の量（風量）を最適なものに調節することが可能となる。
【００３５】
また、この実施の形態に係る風量調節装置４５によれば、本発明を構成する第１の位置決め片４８ｃを回動操作することにより、風量調節手段である第１のダンパ４８を回動操作することが可能となるとともに、回動操作された第１のダンパ４８は、第１の位置決め片４８ｃと第１の係合部である上部側係合部４７ｉとの係合によりその位置が保持されることから、住宅用換気装置２からの風圧により風量が変更されることがない。さらに、この風量調節装置４５では、上記第１のダンパ４８を回動操作することにより風量を調節することができるばかりではなく、この第１のダンパ４８を全部又は一部開放した状態において、上記第２のダンパ４９を回動操作することにより、さらに緻密に風量を調節することができる。特に、上記第１のダンパ４８が全開の状態と、この全開の状態から４０度回転した状態までの範囲では、該第１のダンパ４８を多少回動操作しても風量の調節には影響されない（風量調節が極めて困難である）ことから、上記第２のダンパ４９を構成要素とすることにより、上記範囲内においては極めて緻密に風量を調節することができる。また、この第２の位置決め片４９ｄを回動操作することにより、風量調節手段である第２のダンパ４９を回動操作することが可能となるとともに、回動操作された第２のダンパ４９は、第２の位置決め片４９ｄと第２の係合部である下部側係合部４７ｌ，４７ｍ，４７ｎとの係合によりその位置が保持されることから、住宅用換気装置２からの風圧により風量が変更されることがない。
【００３６】
さらに、この風量調節装置４５では、ダクトは第１及び第２のダクト４６，４７が接続されてなるものであるとともに、第１及び第２のダンパ４８，４９は、これら第１のダクト４６と第２のダクト４７に形成された各スリット（第１ないし第４のスリット４６ａ，４６ｂ，４７ａ，４７ｂ）に挿通され、該第１のダクト４６と第２のダクト４７により挟持されてなることから、ダクトの製造も簡単となり容易に組み立てることが可能となるとともに、メンテナンス作業も簡単なものとなる。また、上記風量調節装置４５では、住宅用換気装置２は、住宅に形成されたクローゼット３に配置されてなるとともに、前記第１及び第２のダクト４６，４７は、このクローゼット３内において露出され、天井上（小屋裏）や床下に配置されてなるものではないことから、一層簡単且つ迅速に風量を調節することができる。また、上述した風量調節方法では、接続アダプタ５０を介して各風量調節装置４５と微差圧計５１とを互いに接続した上で、各風量調節装置４５を流通する風量を調節するものであることから、個々の風量調節装置４５毎に微差圧計５１を接続チューブを接続し直す必要性がないことから、より一層簡便に風量調節の作業を行うことができる。しかも、上記実施の形態において説明した接続アダプタ５０を使用した風量調節方法によれば、一方の上流側接続チューブ５４と他方の上流側接続チューブ５５とをそれぞれ交互に並べて接続することができ、また、この接続アダプタ５０と微差圧計５１とを接続する一方の接続チューブ５２及び他方の接続チューブ５３もそれぞれ並べて接続することができることから、計測ミスや該計測ミスに基づいて誤って風量調節がされる危険性も防止することができる。
【００３７】
また、上記風量調節装置４５単体においても、以下の作用効果を実現することができる。すなわち、この風量調節装置４５では、第１のダンパ４８と第２のダンパ４９とを備え、該第１又は第２のダンパ４８，４９の回動によりダクト内の気体が流通可能とされた状態において、該第２又は第１のダンパ４９，４８の回動により風量が調節されるよう構成されてなることから、従来の風量調節装置に比べ、より適切な風量調節が可能となる。換言すれば、上記第１又は第２のダンパ４８，３９の何れかを全開とした状態から４０度程度回転した状態までの範囲であっても、第２のダンパ４９又は第１のダンパ４８を回動させることにより、微妙な風量調節をすることが可能となる。また、この風量調節装置４５では、第１の回動軸部である第１の上部回動軸部４８ｂ及び第１の下部回動軸部４８ｄも第２の回動軸部である第２の上部回動軸部４９ｃ及び第２の下部回動軸部４９ｄも第１及び第２のダクト４６，４７の径方向に長さを有することから、従来の風量調節装置のように、配置位置が限定されることはなく、管路の端部は勿論中途部においても配置することができる。しかも、この風量調節装置４５では、上記第１の上部回動軸部４８ｂと第２の上部回動軸部４９ｃ並びに第１の下部回動軸部４８ｄと第２の下部回動軸部４９ｄとは同一の軸芯とされていることから、風量調節装置４５の小型化を図ることができる。また、この風量調節装置４５では、第２のダンパ４９を構成する第２の回動軸部は、第２の上部回動軸部４９ｃと第２の下部回動軸部４９ｅとからなり、また、第１のダンパ４８を構成する第１の回動軸部は、第１の上部回動軸部４８ｂと第１の下部回動軸部４８ｄとからなり、２点で支持されてなることから、該第１及び第２のダンパ４８，４９は、安定した状態で回動することができる。
【００３８】
なお、上記実施の形態では、冒頭で説明したように、本発明に係る風量調節装置４５を、住宅用換気システムを構成する住宅用換気装置２に接続された各分岐排出管２９，３０，３１・・・のそれぞれに配置したものを図示しながら説明したが、本発明は、こうした住宅１に配置されるものばかりではなく、オフィスや工場等の各種の構造物や、或いは気体を供給又は排出する機械装置又はプラント等に配置されるものであっても良い。
【図面の簡単な説明】
【００３９】
【図１】住宅の内部構造を模式的に示す模式図である。
【図２】住宅用換気装置を示すものであり、（Ａ）は住宅用換気装置の正面図、（Ｂ）は住宅用換気装置の左側面図、（Ｃ）は住宅用換気装置の右側面図、（Ｄ）は住宅用換気装置の平面図である。
【図３】住宅用換気装置がクローゼット内に配置されている状態を示す側面図である。
【図４】住宅用換気システムを模式的に示す模式図である。
【図５】分岐チャンバに風量調節装置が接続された状態を示す正面図である。
【図６】分岐チャンバの平面図である。
【図７】風量調節装置を示す分解斜視図である。
【図８】風量調節装置を示す斜視図である。
【図９】第１のダンパを示す斜視図である。
【図１０】第２のダンパを示す斜視図である。
【図１１】図８に示す風量調節装置の断面図である。
【図１２】第１及び第２の位置決め片の位置と、第１及び第２のダンパ本体部との位置関係を模式的に示す平面図である。
【図１３】第１及び第２の位置決め片の位置と、第１及び第２のダンパ本体部との位置関係の他の例を模式的に示す平面図である。
【図１４】風量調節装置と微差圧計との接続状態を拡大して示す斜視図である。
【図１５】風量調節装置と微差圧計との接続状態を示す正面図である。
【符号の説明】
【００４０】
４５    風量調節装置
４６    第１のダクト
４６ａ    第１のスリット
４６ｂ    第２のスリット
４６ｃ    一方の分岐管部
４７    第２のダクト
４７ａ    第３のスリット
４７ｂ    第４のスリット
４７ｈ    他方の分岐管部
４７ｉ    上部側係合部
４７ｌ，４７ｍ，４７ｎ    下部側係合部
４８    第１のダンパ
４８ａ    第１のダンパ本体部
４８ｂ    第１の上部回動軸部
４８ｄ    第１の下部回動軸部
４９    第２のダンパ
４９ａ    枠部
４９ｂ    第２のダンパ本体部
４９ｃ    第２の上部回動軸部
４９ｄ    第２の下部回動軸部
【図１】
0004991434.tif 000002
【図２】
0004991434.tif 000003
【図３】
0004991434.tif 000004
【図４】
0004991434.tif 000005
【図５】
0004991434.tif 000006
【図６】
0004991434.tif 000007
【図７】
0004991434.tif 000008
【図８】
0004991434.tif 000009
【図９】
0004991434.tif 000010
【図１０】
0004991434.tif 000011
【図１１】
0004991434.tif 000012
【図１２】
0004991434.tif 000013
【図１３】
0004991434.tif 000014
【図１４】
0004991434.tif 000015
【図１５】
0004991434.tif 000016